(57)【要約】【課題】大型化を抑えながら、騒音を低減することができるエアポンプを提供すること。【解決手段】エアポンプ１は、ステータマグネット６と電機子７とが収容されるモータハウジング２と、電機子７と一体回転するベーンロータ１９が収容されるポンプハウジング４とを備え、ベーンロータ１９の作用によって吸気口２１から空気を吸入するとともに排気口２２から空気を排気する。吸気口２１及び排気口２２は、モータハウジング２内を通ってポンプハウジング４に連通される。【選択図】図１
2015090084.tif 000002
【特許請求の範囲】
【請求項１】
ステータとモータロータとが収容されるモータハウジングと、
前記モータロータと一体回転するポンプロータが収容されるポンプハウジングと
を備え、前記ポンプロータの作用によって吸気口から空気を吸入するとともに排気口から空気を排気するエアポンプであって、
前記吸気口及び前記排気口の少なくとも一方は、前記モータハウジング内を通って前記ポンプハウジングに連通されたことを特徴とするエアポンプ。
【請求項２】
請求項１に記載のエアポンプにおいて、
前記吸気口及び前記排気口は、共に前記モータハウジング内を通って前記ポンプハウジングに連通されたことを特徴とするエアポンプ。
【請求項３】
請求項１又は２に記載のエアポンプにおいて、
前記ステータ又は前記モータロータは電機子であって、
前記吸気口及び前記排気口の少なくとも一方は、前記電機子を収容する電機子収容部を通って前記ポンプハウジングに連通されたことを特徴とするエアポンプ。
【請求項４】
請求項３に記載のエアポンプにおいて、
前記吸気口は、前記電機子収容部を通って前記ポンプハウジングに連通されたことを特徴とするエアポンプ。
【請求項５】
請求項１乃至４のいずれか１項に記載のエアポンプにおいて、
前記モータハウジングは、円筒状に形成され、その一端側に前記ポンプハウジングが設けられ、他端側に前記吸気口及び前記排気口の少なくとも一方が設けられたことを特徴とするエアポンプ。
【発明の詳細な説明】
【技術分野】
【０００１】
本発明は、エアポンプに関するものである。
【背景技術】
【０００２】
従来、エアポンプとしては、ステータとモータロータとが収容されるモータハウジングと、モータロータと一体回転するポンプロータが収容されるポンプハウジングとが区画されて設けられ、ポンプロータの作用によってポンプハウジングの吸気口から空気を吸入するとともに排気口から空気を排気するものがある（例えば、特許文献１参照）。
【先行技術文献】
【特許文献】
【０００３】
【特許文献１】特開２００４−２２５６１５号公報
【発明の概要】
【発明が解決しようとする課題】
【０００４】
しかしながら、上記のようなポンプロータが回転するベーンタイプ等のエアポンプでは、ポンプロータの回転に伴って排気される空気が脈動すること等から、吸気口や排気口で騒音が発生するという問題がある。尚、ポンプハウジングに、ポンプロータから吸気口や排気口までの長さを長くするとともに空間を大きくする消音室を設けることが考えられるが、この場合ではポンプハウジング、ひいてはエアポンプが大型化してしまう。
【０００５】
本発明は上記問題点を解消するためになされたものであって、その目的は、大型化を抑えながら、騒音を低減することができるエアポンプを提供することにある。
【課題を解決するための手段】
【０００６】
上記課題を解決するエアポンプは、ステータとモータロータとが収容されるモータハウジングと、前記モータロータと一体回転するポンプロータが収容されるポンプハウジングとを備え、前記ポンプロータの作用によって吸気口から空気を吸入するとともに排気口から空気を排気するエアポンプであって、前記吸気口及び前記排気口の少なくとも一方は、前記モータハウジング内を通って前記ポンプハウジングに連通される。
【０００７】
同構成によれば、吸気口及び排気口の少なくとも一方は、モータハウジング内を通ってポンプハウジングに連通されるため、ポンプハウジングと吸気口及び排気口の少なくとも一方との通路が長くなるとともにその通路の空間が大きくなり、吸気口及び排気口の少なくとも一方側で駆動時の騒音を低減することができる。又、ポンプハウジングに消音室を別途設ける場合に比べて、エアポンプの大型化を抑えることができる。
【０００８】
上記エアポンプにおいて、前記吸気口及び前記排気口は、共に前記モータハウジング内を通って前記ポンプハウジングに連通されることが好ましい。
同構成によれば、吸気口及び排気口は、共にモータハウジング内を通ってポンプハウジングに連通されるため、それぞれの通路が長くなるとともにその通路の空間が大きくなり、吸気口及び排気口の両方側で駆動時の騒音を低減することができる。
【０００９】
上記エアポンプにおいて、前記ステータ又は前記モータロータは電機子であって、前記吸気口及び前記排気口の少なくとも一方は、前記電機子を収容する電機子収容部を通って前記ポンプハウジングに連通されることが好ましい。
【００１０】
同構成によれば、吸気口及び排気口の少なくとも一方は、電機子を収容する電機子収容部を通ってポンプハウジングに連通されるため、電機子収容部を通る空気によって電機子を冷却することができる。
【００１１】
上記エアポンプにおいて、前記吸気口は、前記電機子収容部を通って前記ポンプハウジングに連通されることが好ましい。
同構成によれば、吸気口は、電機子収容部を通って前記ポンプハウジングに連通されるため、電機子収容部を通る吸入した直後の空気によって電機子を効率良く冷却することができる。即ち、排気口が電機子収容部を通ってポンプハウジングに連通される場合では、電機子収容部を通る空気がポンプハウジングを通過した後の空気となり、ポンプハウジングで温度が上昇している虞があるが、これを回避して電機子を効率良く冷却することができる。
【００１２】
上記エアポンプにおいて、前記モータハウジングは、円筒状に形成され、その一端側に前記ポンプハウジングが設けられ、他端側に前記吸気口及び前記排気口の少なくとも一方が設けられたことを特徴とするエアポンプ。
【００１３】
同構成によれば、モータハウジングは、円筒状に形成され、その一端側にポンプハウジングが設けられ、他端側に吸気口及び排気口の少なくとも一方が設けられるため、簡単な構成としながら（モータハウジング内に迂回させるような壁を設けることなく）通路が長くなるとともにその通路の空間が大きくなり、駆動時の騒音を低減することができる。
【発明の効果】
【００１４】
本発明のエアポンプでは、大型化を抑えながら、騒音を低減することができる。
【図面の簡単な説明】
【００１５】
【図１】一実施形態のエアポンプの断面図。
【発明を実施するための形態】
【００１６】
以下、ベーンタイプのエアポンプの実施形態を図１に従って説明する。
図１に示すように、エアポンプ１は、モータハウジング２と、モータハウジング２の一端側（図１中、下側）に固定される連結ハウジング３と、更に連結ハウジング３の一端側に固定されるポンプハウジング４と、モータハウジング２の他端側（図１中、上側）に固定されるエンドハウジング５とを備えている。
【００１７】
モータハウジング２は、略円筒状に形成され、その内周面にステータとしての一対のステータマグネット６が固着されている。尚、本実施形態では、モータハウジング２はステータのヨーク（継鉄）として機能する。
【００１８】
又、モータハウジング２内においてステータマグネット６の内側には、モータロータとしての電機子７が回転可能に支持されている。詳しくは、電機子７の回転軸８は、前記連結ハウジング３とエンドハウジング５とに設けられた軸受９，１０にその両端側が支持され、回転軸８の中間部には、巻線１１が巻装されたロータコア１２が外嵌固定されている。又、回転軸８の中間部においてロータコア１２の連結ハウジング３側には円盤状の整流子１３が固定され、該整流子１３には連結ハウジング３に対して保持された一対の給電用ブラシ１４が付勢ばね１５によって押圧接触されている。
【００１９】
又、本実施形態のモータハウジング２において、ステータマグネット６と電機子７との間には、非磁性材よりなる環状のシールド部材１６が設けられている。シールド部材１６は、ステータマグネット６と電機子７との径方向の間にそれぞれ隙間を有して設けられ、モータハウジング２内を、ステータマグネット６を収容するマグネット収容部１７と電機子７を収容する電機子収容部１８とに（互いに気密に）区画する。
【００２０】
ポンプハウジング４は、略有底筒状に形成され、その内部には、前記回転軸８の一端側に固定され該回転軸８と一体回転するポンプロータとしてのベーンロータ１９が収容されている。ポンプハウジング４において他端側（連結ハウジング３側）には吸気部４ａと排気部４ｂとが形成され、ベーンロータ１９は、回転することで吸気部４ａから空気を吸入するとともに排気部４ｂから空気を排気する。
【００２１】
連結ハウジング３は、前記モータハウジング２と前記ポンプハウジング４との間に介在されるべく略円盤状に形成され、前記吸気部４ａと前記電機子収容部１８とを連通する吸気路３ａと、前記排気部４ｂと前記マグネット収容部１７とを連通する排気路３ｂとを有する。
【００２２】
又、エンドハウジング５は、前記モータハウジング２の他端側を閉塞すべく略円盤状に形成され、その一部には、前記電機子収容部１８と外部とを連通する吸気口２１と、前記マグネット収容部１７と外部とを連通する排気口２２とが設けられている。
【００２３】
次に、上記のように構成されたエアポンプ１の作用について説明する。
外部電源から給電用ブラシ１４及び整流子１３を介して巻線１１に駆動電流が供給されると、電機子７で磁界が発生され、ステータマグネット６との磁束の授受によって電機子７が回転駆動される。すると、回転軸８と一体回転するベーンロータ１９の作用によって、図１に２点鎖線の矢印で示すように、吸気口２１から電機子収容部１８及び吸気部４ａを介してポンプハウジング４に空気が吸入されるとともに、ポンプハウジング４から排気部４ｂ及びマグネット収容部１７を介して、最終的に排気口２２から空気が排気（吐出）される。
【００２４】
次に、上記実施の形態の特徴的な効果を以下に記載する。
（１）吸気口２１及び排気口２２は、共にモータハウジング２内を通ってポンプハウジング４に連通されるため、それぞれの通路が長くなるとともにその通路の空間が大きくなる。よって、ベーンロータ１９の直後（排気部４ｂ）で発生する空気の脈動が前記通路で吸収されることなどから、吸気口２１及び排気口２２での駆動時の騒音を低減することができる。又、ポンプハウジング４に消音室を別途設ける場合に比べて、エアポンプ１の大型化を抑えることができる。
【００２５】
（２）吸気口２１は、電機子収容部１８を通ってポンプハウジング４に連通されるため、電機子収容部１８を通る吸入した直後の空気によって電機子７を効率良く冷却することができる。即ち、排気口２２が電機子収容部１８を通ってポンプハウジング４に連通される場合では、電機子収容部１８を通る空気がポンプハウジング４を通過した後の空気となり、ポンプハウジング４で温度が上昇している虞があるが、これを回避して電機子７を効率良く冷却することができる。
【００２６】
（３）モータハウジング２は、略円筒状に形成され、一端側にポンプハウジング４が設けられ、他端側に吸気口２１及び排気口２２が設けられるため、簡単な構成としながら（モータハウジング２内に迂回させるような壁を設けることなく）通路が長くなるとともにその通路の空間が大きくなり、駆動時の騒音を低減することができる。
【００２７】
上記実施形態は、以下のように変更してもよい。
・上記実施形態では、吸気口２１及び排気口２２は、共にモータハウジング２（電機子収容部１８及びマグネット収容部１７）内を通ってポンプハウジング４に連通されるとしたが、これに限定されず、吸気口２１及び排気口２２のいずれか一方のみがモータハウジング２内を通ってポンプハウジング４に連通される構成に変更してもよい。言い換えると、例えば、吸気口及び排気口のいずれか他方がポンプハウジング４に設けられた構成としてもよい。尚、この場合、上記実施形態のシールド部材１６を有していない構成としてもよい。
【００２８】
このようにしても、ポンプハウジングと吸気口及び排気口のいずれか一方との通路が長くなるとともにその通路の空間が大きくなり、吸気口及び排気口のいずれか一方側で駆動時の騒音を低減することができる。
【００２９】
・上記実施形態では、吸気口２１は、電機子収容部１８を通ってポンプハウジング４に連通されるとしたが、これに限定されず、例えば、逆に排気口２２が電機子収容部１８を通ってポンプハウジング４に連通される構成としてもよい。
【００３０】
このようにしても、電機子収容部１８を通る空気によって電機子７を冷却することができる。又、吸気口２１及び排気口２２が共に電機子収容部１８を通らない構成としてもよい。
【００３１】
・上記実施形態では、モータハウジング２は、略円筒状に形成され、一端側にポンプハウジング４が設けられ、他端側に吸気口２１及び排気口２２が設けられる構成としたが、吸気口２１及び排気口２２の少なくとも一つは、モータハウジング２内を通りながらもポンプハウジング４側に設けられた構成としてもよい。
【００３２】
・上記実施形態のシールド部材１６は、モータハウジング２内を、ステータマグネット６を収容するマグネット収容部１７と電機子７を収容する電機子収容部１８とに（互いに気密に）区画することができれば、他の構成に変更してもよく、例えば、ステータマグネット６の内面に固定して設けてもよい。
【００３３】
・上記実施形態では、ポンプロータとしてベーンロータ１９を用いたベーンタイプのエアポンプ１に具体化したが、これに限定されず、他のポンプロータを用いた他のタイプのエアポンプに具体化してもよい。
【００３４】
・上記実施形態では、モータハウジング２や連結ハウジング３やポンプハウジング４等が別体で構成されたハウジングとしたが、ハウジングはどこで分割された構成でもよく、例えば、上記実施形態のモータハウジング２と連結ハウジング３とが一体成形された構成としてもよい。
【００３５】
・上記実施形態では、ステータとしてのステータマグネット６とモータロータとしての電機子７とを有するブラシ付き直流モータを備えた構成としたが、例えば、モータロータとしてのロータマグネットとステータとしての電機子とを有するブラシレスモータを備えた構成としてもよい。
【符号の説明】
【００３６】
２…モータハウジング、４…ポンプハウジング、６…ステータマグネット（ステータ）、７…電機子（モータロータ）、１８…電機子収容部、１９…ベーンロータ（ポンプロータ）、２１…吸気口、２２…排気口。
【図１】
2015090084.tif 000003